【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
Ｍ個（Ｍは２以上の自然数）の発光領域が内在し、少なくとも一つの前記発光領域内に青色半導体発光素子、緑色蛍光体及び赤色蛍光体を発光要素として備える発光装置であって、
当該発光装置の主たる放射方向に各発光領域から出射される光の分光分布をφSSLＮ（λ）（Ｎは１からＭ）とし、前記発光装置から当該放射方向に出射されるすべての光の分光分布φSSL（λ）が、
【数１】
2016054044.tif 000001
のときに、
φSSL（λ）を、以下の条件Ｉ−ＩＶを満たすように出来る発光領域が内在する発光装置。
条件Ｉ：
当該放射方向に出射される光による照明を数学的に仮定した場合の＃０１から＃１５の下記１５種類の修正マンセル色票のＣＩＥ  １９７６  Ｌ*ａ*ｂ*色空間におけるａ*値、ｂ*値をそれぞれａ*nSSL、ｂ*nSSL（ただしｎは１から１５の自然数）とし、
当該放射方向に出射される光の相関色温度ＴSSL（Ｋ）に応じて選択される基準の光での照明を数学的に仮定した場合の当該１５種類の修正マンセル色票のＣＩＥ  １９７６  Ｌ*ａ*ｂ*色空間におけるａ*値、ｂ*値をそれぞれａ*nref、ｂ*nref（ただしｎは１から１５の自然数）とした場合に、飽和度差ΔＣnが
−４．００  ≦  ΔＣn ≦  ８．００          （ｎは１から１５の自然数）
を満たす。
条件ＩＩ：
下記式（３）で表される飽和度差の平均ＳＡＴaveが０．５０≦ＳＡＴave≦４．００を満たす。
【数２】
2016054044.tif 000002
条件ＩＩＩ：
飽和度差の最大値をΔＣmax、飽和度差の最小値をΔＣminとした場合に、飽和度差の最大値と、飽和度差の最小値との間の差｜ΔＣmax−ΔＣmin｜が
２．００  ≦  ｜ΔＣmax−ΔＣmin｜  ≦  １０．００
を満たす。
ただし、ΔＣn＝√｛（ａ*nSSL）2＋（ｂ*nSSL）2｝−√｛（ａ*nref）2＋（ｂ*nref）2｝とする。
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
条件ＩＶ：
当該放射方向に出射される光による照明を数学的に仮定した場合の上記１５種類の修正マンセル色票のＣＩＥ  １９７６  Ｌ*ａ*ｂ*色空間における色相角をθnSSL（度）（ただしｎは１から１５の自然数）とし、
当該放射方向に出射される光の相関色温度ＴSSL（Ｋ）に応じて選択される基準の光での照明を数学的に仮定した場合の当該１５種類の修正マンセル色票のＣＩＥ  １９７６  Ｌ*ａ*ｂ*色空間における色相角をθnref（度）（ただしｎは１から１５の自然数）とした場合に、色相角差の絶対値｜Δｈn｜が
０．００度  ≦  ｜Δｈn｜  ≦  １２．５０度（ｎは１から１５の自然数）
を満たす。
ただし、Δｈn＝θnSSL−θnrefとする。
【請求項２】
請求項１に記載の発光装置であって、
前記φSSL（λ）を、以下の条件１を満たすように出来る発光領域が内在する発光装置。
条件１：
前記発光装置から出射される光は、ＡＮＳＩ  Ｃ７８．３７７で定義される黒体放射軌跡からの距離ＤuvSSLが、−０．０２２０  ≦  ＤuvSSL  ≦  −０．００７０となる光を主たる放射方向に含む。
【請求項３】
請求項１又は２に記載の発光装置であって、
前記φSSL（λ）を、以下の条件２を満たすように出来る発光領域が内在する発光装置。
条件２：
前記発光装置から当該放射方向に出射される光の分光分布をφSSL（λ）、前記発光装置から当該放射方向に出射される光の相関色温度ＴSSL（Ｋ）に応じて選択される基準の光の分光分布をφref（λ）、前記発光装置から当該放射方向に出射される光の三刺激値を（ＸSSL、ＹSSL、ＺSSL）、前記発光装置から当該放射方向に出射される光の相関色温度ＴSSL（Ｋ）に応じて選択される基準の光の三刺激値を（Ｘref、Ｙref、Ｚref）とし、
前記発光装置から当該放射方向に出射される光の規格化分光分布ＳSSL（λ）と、前記発光装置から当該放射方向に出射される光の相関色温度ＴSSL（Ｋ）に応じて選択される基準の光の規格化分光分布Ｓref（λ）と、これら規格化分光分布の差ΔＳ（λ）をそれぞれ、
ＳSSL（λ）＝φSSL（λ）／ＹSSL
Ｓref（λ）＝φref（λ）／Ｙref
ΔＳ（λ）＝Ｓref（λ）−ＳSSL（λ）
と定義し、
波長３８０ｎｍ以上７８０ｎｍ以内の範囲で、ＳSSL（λ）の最長波長極大値を与える波長をλR（ｎｍ）とした際に、λRよりも長波長側にＳSSL（λR）／２となる波長Λ４が存在する場合において、
下記数式（１）で表される指標Ａcgが、−１０  ＜  Ａcg ≦  １２０を満たし、
波長３８０ｎｍ以上７８０ｎｍ以内の範囲で、ＳSSL（λ）の最長波長極大値を与える波長をλR（ｎｍ）とした際に、λRよりも長波長側にＳSSL（λR）／２となる波長Λ４が存在しない場合において、
下記数式（２）で表される指標Ａcgが、−１０  ＜  Ａcg ≦  １２０を満たす。
【数３】
2016054044.tif 000003
【数４】
2016054044.tif 000004
【請求項４】
請求項１〜３のいずれか１項に記載の発光装置であって、
前記φSSL（λ）を、以下の条件３を満たすように出来る発光領域が内在する発光装置。
条件３：
前記光の分光分布φSSL（λ）は、４３０ｎｍ以上４９５ｎｍ以下の範囲における分光強度の最大値をφSSL-BM-max、４６５ｎｍ以上５２５ｎｍ以下の範囲における分光強度の最小値をφSSL-BG-minと定義した際に、
０．２２５０  ≦  φSSL-BG-min／φSSL-BM-max  ≦  ０．７０００
である。
【請求項５】
請求項１〜４のいずれか１項に記載の発光装置であって、
前記φSSL（λ）を、以下の条件４を満たすように出来る発光領域が内在する発光装置。
条件４：
前記光の分光分布φSSL（λ）は、５９０ｎｍ以上７８０ｎｍ以下の範囲における分光
強度の最大値をφSSL-RM-maxと定義した際に、前記φSSL-RM-maxを与える波長λSSL-RM-maxが、
６０５（ｎｍ）  ≦  λSSL-RM-max  ≦  ６５３（ｎｍ）
である。
【請求項６】
請求項１〜５のいずれか１項に記載の発光装置であって、
すべてのφSSLＮ（λ）（Ｎは１からＭ）が、前記条件Ｉ−ＩＶを満たす発光装置。
【請求項７】
請求項１〜６のいずれか１項に記載の発光装置であって、
前記Ｍ個の発光領域中の、少なくとも１つの発光領域が、他の発光領域に対して電気的に独立に駆動しうる配線となっている発光装置。
【請求項８】
請求項７に記載の発光装置であって、
Ｍ個の発光領域すべてが、他の発光領域に対して電気的に独立に駆動しうる配線となっている発光装置。
【請求項９】
請求項１〜８のいずれか１項に記載の発光装置であって、
以下の条件５を満たすことを特徴とする発光装置。
条件５：
前記光の分光分布φSSL（λ）において、前記φSSL-BM-maxを与える波長λSSL-BM-maxが、
４３０（ｎｍ）  ≦  λSSL-BM-max  ≦  ４８０（ｎｍ）
である。
【請求項１０】
請求項１〜９のいずれか１項に記載の発光装置であって、
以下の条件６を満たすことを特徴とする発光装置。
条件６：
０．１８００  ≦  φSSL-BG-min／φSSL-RM-max  ≦  ０．８５００
【請求項１１】
請求項１〜１０のいずれか１項に記載の発光装置であって、
前記φSSL（λ）から導出される波長３８０ｎｍ以上７８０ｎｍ以下の範囲の放射効率Ｋ（ｌｍ／Ｗ）が以下の条件７を満たすことを特徴とする発光装置。
条件７：
２１０．０  ｌｍ／Ｗ  ≦  Ｋ  ≦  ２９０．０  ｌｍ／Ｗ
【請求項１２】
請求項１〜１１のいずれか１項に記載の発光装置であって、
最近接している異なる発光領域全体を包絡する仮想外周上にある任意の２点がつくる最大距離Ｌが、０．４ｍｍ以上２００ｍｍ以下である発光装置。
【請求項１３】
請求項１〜１２のいずれか１項に記載の発光装置であって、
前記発光装置から当該放射方向に出射される光は、相関色温度ＴSSL（Ｋ）が
２６００  Ｋ  ≦  ＴSSL  ≦  ７７００  Ｋ
を満たすように出来ることを特徴とする発光装置。
【請求項１４】
請求項１〜１３のいずれか１項に記載の発光装置であって、
前記発光領域から出射される光束量かつ／または放射束量を変化させることで、前記φSSL（λ）を、前記条件Ｉ−ＩＶを満たすように出来る発光領域が内在することを特徴とする発光装置。
【請求項１５】
請求項３〜１４のいずれか１項に記載の発光装置であって、
前記数式（１）又は（２）で表される指標Ａcg、相関色温度ＴSSL（Ｋ）、及び黒体放射軌跡からの距離ＤuvSSLからなる群から選択される少なくとも１つが変化し得る発光装置。
【請求項１６】
請求項１５に記載の発光装置であって、
前記数式（１）又は（２）で表される指標Ａcg、相関色温度ＴSSL（Ｋ）、及び黒体放射軌跡からの距離ＤuvSSLからなる群から選択される少なくとも１つが変化した際に、発光装置から主たる放射方向に出射される光束かつ／または放射束を独立に制御しうることを特徴とする発光装置。
【請求項１７】
対象物を準備する照明対象物準備工程、および、Ｍ個（Ｍは２以上の自然数）の発光領域が内在し、少なくとも一つの発光領域内に青色半導体発光素子、緑色蛍光体及び赤色蛍光体を発光要素として備える発光装置から出射される光により対象物を照明する照明工程、を含む照明方法であって、
前記照明工程において、前記発光装置から出射される光が対象物を照明した際に、前記対象物の位置で測定した光が以下の条件Ｉ〜ＩＶを満たすように照明する照明方法。
条件Ｉ：
前記対象物の位置で測定した光による照明を数学的に仮定した場合の＃０１から＃１５の下記１５種類の修正マンセル色票のＣＩＥ  １９７６  Ｌ*ａ*ｂ*色空間におけるａ*値、ｂ*値をそれぞれａ*nSSL、ｂ*nSSL（ただしｎは１から１５の自然数）とし、
前記対象物の位置で測定した光の相関色温度ＴSSL（Ｋ）に応じて選択される基準の光による照明を数学的に仮定した場合の当該１５種類の修正マンセル色票のＣＩＥ  １９７６  Ｌ*ａ*ｂ*色空間におけるａ*値、ｂ*値をそれぞれａ*nref、ｂ*nref（ただしｎは１から１５の自然数）とした場合に、飽和度差ΔＣnが
−４．００  ≦  ΔＣn ≦  ８．００          （ｎは１から１５の自然数）
を満たす。
条件ＩＩ：
下記式（３）で表される飽和度差の平均ＳＡＴaveが０．５０≦ＳＡＴave≦４．００を満たす。
【数５】
2016054044.tif 000005
条件ＩＩＩ：
飽和度差の最大値をΔＣmax、飽和度差の最小値をΔＣminとした場合に、飽和度差の最大値と、飽和度差の最小値との間の差｜ΔＣmax−ΔＣmin｜が
２．００  ≦  ｜ΔＣmax−ΔＣmin｜  ≦  １０．００
を満たす。
ただし、ΔＣn＝√｛（ａ*nSSL）2＋（ｂ*nSSL）2｝−√｛（ａ*nref）2＋（ｂ*nref）2｝とする。
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
条件ＩＶ：
前記対象物の位置で測定した光による照明を数学的に仮定した場合の上記１５種類の修正マンセル色票のＣＩＥ  １９７６  Ｌ*ａ*ｂ*色空間における色相角をθnSSL（度）（ただしｎは１から１５の自然数）とし、
前記対象物の位置で測定した光の相関色温度ＴSSL（Ｋ）に応じて選択される基準の光による照明を数学的に仮定した場合の当該１５種類の修正マンセル色票のＣＩＥ  １９７６  Ｌ*ａ*ｂ*色空間における色相角をθnref（度）（ただしｎは１から１５の自然数）とした場合に、色相角差の絶対値｜Δｈn｜が
０．００度  ≦  ｜Δｈn｜  ≦  １２．５０度（ｎは１から１５の自然数）
を満たす。
ただし、Δｈn＝θnSSL−θnrefとする。
【請求項１８】
請求項１７に記載の照明方法であって、
前記対象物の位置で測定した光が以下の条件１を満たすように照明する照明方法。
条件１：
前記対象物の位置で測定した光のＡＮＳＩ  Ｃ７８．３７７で定義される黒体放射軌跡からの距離ＤuvSSLが、−０．０２２０  ≦  ＤuvSSL  ≦  −０．００７０である。
【請求項１９】
請求項１８に記載の照明方法であって、
前記対象物の位置に到達している各発光要素から出射された光の分光分布をφSSLＮ（λ）（Ｎは１からＭ）、前記対象物の位置で測定した光の分光分布φSSL（λ）が、
【数６】
2016054044.tif 000006
のときに、
すべてのφSSLＮ（λ）（Ｎは１からＭ）を、前記条件１及び条件Ｉ〜ＩＶを満たすようにできる照明方法。
【請求項２０】
請求項１７〜１９のいずれか１項に記載の照明方法であって、
Ｍ個の発光領域中の、少なくとも１つの発光領域を、他の発光領域に対して電気的に独立駆動し照明する照明方法。
【請求項２１】
請求項２０に記載の照明方法であって、
Ｍ個の発光領域すべてを、他の発光領域に対して電気的に独立駆動し照明する照明方法。
【請求項２２】
請求項１８〜２１のいずれか１項に記載の照明方法であって、
前記式（３）で表される飽和度差の平均ＳＡＴave、相関色温度ＴSSL（Ｋ）、及び黒体放射軌跡からの距離ＤuvSSLからなる群から選択される少なくとも１つを変化させることを特徴とする照明方法。
【請求項２３】
請求項２２に記載の照明方法であって、
前記式（３）で表される飽和度差の平均ＳＡＴave、相関色温度ＴSSL（Ｋ）、及び黒体放射軌跡からの距離ＤuvSSLからなる群から選択される少なくとも１つを変化させた際に、当該対象物における照度を独立に制御することを特徴とする照明方法。
【請求項２４】
請求項２３に記載の照明方法であって、
前記式（３）で表される飽和度差の平均ＳＡＴave、相関色温度ＴSSL（Ｋ）、及び黒体放射軌跡からの距離ＤuvSSLからなる群から選択される少なくとも１つを変化させた際に、当該対象物における照度を不変とする照明方法。
【請求項２５】
請求項２３に記載の照明方法であって、
前記式（３）で表される飽和度差の平均ＳＡＴaveを増加させた際に、当該対象物における照度を低減する照明方法。
【請求項２６】
請求項２３に記載の照明方法であって、
相関色温度ＴSSL（Ｋ）を増加させた際に、当該対象物における照度を増加する照明方法。
【請求項２７】
請求項２３に記載の照明方法であって、
黒体放射軌跡からの距離ＤuvSSLを減少させた際に、当該対象物における照度を減少する照明方法。
【請求項２８】
請求項１７〜２７のいずれか１項に記載の照明方法であって、
最近接している異なる発光領域全体を包絡する仮想外周上にある任意の２点がつくる最大距離をＬ、発光装置と照明対象物の距離をＨとした際に、
５×Ｌ≦Ｈ≦５００×Ｌ
となるように距離Ｈを設定する照明方法。